(57)【特許請求の範囲】
【請求項１】
光ケーブルの光ファイバ心線を巻き付ける心線巻回部３１と、心線接続用のコネクタ保持部とを備えた心線収納部３０を有する固定ケース１０に蓋ケース２０を着脱自在に組み付けてケース本体を構成し、該ケース本体に形成したケーブル配索孔１１から光ファイバ心線とテンションメンバを有する光ケーブルをケーブル把持具１を介して導入し、該光ケーブルのテンションメンバＣ１をケース本体に止着して光ファイバ心線Ｃを互いに接続する光ケーブル接続用収納ケースにおいて、前記光ケーブルＢをテンションメンバＣ１ごと止着するケーブル把持具１が、ケーブル当接凸部２を形成したケーブル挿入凹部３と、外周にガイド凸部５とを有するケーブル把持本体１１と、該ケーブル把持本体１１のケーブル挿入凹部３に嵌装されて光ケーブルＢを挾み込むケーブル当接凸部４のある挾持片１２とを連結帯６で一体に接続構成され、このケーブル把持本体１１のガイド凸部５を前記固定ケース１０の配索溝１２に連なる前記ケーブル配索孔１１に形成したガイド溝１３に挿脱して、該ケーブル把持具１をケーブル配索孔１１に着脱自在に圧入嵌着したことを特徴とする光ケーブル接続用収納ケース。
【請求項２】
前記ケーブル把持具１が、合成樹脂からなる断面Ｕ字形状部材のケーブル把持本体１１と挾持片１２とから構成され、該ケーブル把持本体１１と挾持片１２とを対向嵌合して略筒状体に構成し、該筒状体を固定ケース１０の前記配索孔１１に嵌脱されるものである請求項１記載の光ケーブル接続用収納ケース。
【請求項３】
前記心線収納部３０が、周囲及び中央部位に環状壁を立設して心線巻回部３１のあるトレイに構成し、固定ケース１０に対応した嵌合係止部３４を備え、かつＳＣコネクタ、単心ＭＴコネクタ、或いはメカニカルスプライスの単独または組合せを収容できるコネクタ収納部３２を形成して、前記ケース本体内に係脱自在に配備した請求項１または２記載の光ケーブル接続用収納ケース。
【請求項４】
前記ケーブル配索孔１１が、前記ケーブル把持具１を複数段重積配備されるものである請求項２または３記載の光ケーブル接続用収納ケース。
【請求項５】
前記ケーブル配索孔１１が多数並列されてケース本体に配備されたものであって、該ケース本体に光ケーブル接続用のプラグおよび／またはコネクタを有する成端モジュール４１よび接続モジュール４２或いは変換心線モジュールと、各モジュールに接続する心線余長収納部４３とを内装した光ケーブル接続ボックスとした請求項３または４記載の光ケーブル接続用収納ケース。
【請求項６】
前記接続モジュール４２が、一端にＳＣコネクタ或いはＭＰＯコネクタを備えた接続モジュール内配線材料を収納保持しうる一対のトレイ２８をヒンジ部２８１で開閉自在に連結したものである請求項５記載の光ケーブル接続用収納ケース。
【発明の詳細な説明】
【０００１】
【発明の属する技術分野】
本発明は、テンションメンバと光ファイバ心線を有する光ケーブルの接続に用いる光ケーブル接続用収納ケース、詳しくは、ケース本体にテンションメンバを含む光ケーブルや送り込みケーブル、エアブロンケーブルなどの各ケーブルを止着状態に保持するようにした光ケーブル接続用収納ケースに関するものである。
【０００２】
【従来の技術】
一般に、光ファイバ心線とテンションメンバを有する光ケーブルの接続に際しては、テンションメンバを止着することが不可欠である。このため、従来では、光ケーブル接続用収納ケースにねじ穴を形成し、このねじ穴に螺合するねじ部材にテンションメンバの端部を巻き付けて工具を用いて止着することが行われていた。
【０００３】
【発明が解決しようとする課題】
しかしながら、従来の光ケーブル接続用収納ケースにあっては、ケーブル端末処理にはケーブル被覆の剥がし、切裂、曲げ加工が必要で心線を取り出す際にはケーブルを長めに裂いて作業し、止着作業ではテンションメンバを心線から裂いてテンションメンバ端部の被覆を剥がし、露出したテンションメンバ端を巻き付け止着する作業が不可欠で作業工数が多く時間もかかって、心線の交換や増設もむずかしく、しかもねじ部材が経時的な緩みを生じやすく、テンションメンバやケーブルが外れるおそれがあるという心線接続の安全性の上で問題があった。この問題は、ロックナット等の部材を設けること、あるいは、ねじ部材の再締め付けを定期的に行うことで解決できると考えられるが、前者にあっては構造が複雑化するのみならずテンションメンバやケーブルの止着作業が煩雑化するという新たな問題を生じ、また、後者にあっては光ケーブル接続用収納ケースの厖大な量の点検工数が必要になるという新たな問題を生じる。
本発明は、これら従来の欠点を排除しようとするもので、光ケーブル、テンションメンバや送り込みケーブル、エアブロンケーブルなどを経時的な緩みを生じることなく止着でき、また、止着作業も容易に行うことができて作業性を大巾に向上し、各ケーブルの併用でも取扱い容易な光ケーブル接続用収納ケースを提供することを目的とする。
【０００４】
【課題を解決するための手段】
本発明は、光ケーブルの光ファイバ心線を巻き付ける心線巻回部と、心線接続用のコネクタ保持部とを備えた心線収納部を有する固定ケースに蓋ケースを着脱自在に組み付けてケース本体を構成し、該ケース本体に形成したケーブル配索孔から光ファイバ心線とテンションメンバを有する光ケーブルをケーブル把持具を介して導入し、該光ケーブルのテンションメンバをケース本体に止着して光ファイバ心線を互いに接続する光ケーブル接続用収納ケースであって、前記光ケーブルをテンションメンバごと止着するケーブル把持具が、ケーブル当接凸部を形成したケーブル挿入凹部と、外周にガイド凸部とを有するケーブル把持本体と、該ケーブル把持本体のケーブル挿入凹部に嵌装されて光ケーブルを挾み込むケーブル当接凸部のある挾持片とを連結帯で一体に接続構成され、このケーブル把持本体のガイド凸部を前記固定ケースの配索溝に連なる前記ケーブル配索孔に形成したガイド溝に挿脱して、該ケーブル把持具をケーブル配索孔に着脱自在に圧入嵌着したものである。
【０００５】
【発明の実施の形態】
この発明にかかる光ケーブル接続用収納ケースは、光ケーブル末端処理にケーブルを剥がさず、裂かずにしかも曲げずにケーブルをケーブル把持具のケーブル把持本体のケーブル挿入凹部に装入したのち挾持片を被せて両者にあるケーブル当接凸部でテンションメンバごとケーブル全体を挾み込み、次で該ケーブル把持具をケーブル配索孔に圧入嵌着し、固定ケースに蓋ケースを被せて光ケーブルを定着し、テンションメンバが挾持、止着される。そして閉蓋前に光ケーブルはコネクタで接続して余長心線は心線収納部に巻き取りコネクタを保持した心線収納部を固定ケース内に嵌着する。この場合、固定ケースにはＳＣコネクタ、単心ＭＴコネクタ、或いはメカニカルスプライスの単独または組合せで収容できるコネクタ保持部或いはモジュールのある心線収納部を選んで嵌着する。この後に、蓋ケースを組み付けると、ケースに形成された配索溝に固着されたケーブル把持具に係合し、ケーブル把持具の分解、脱落を防ぎ、即ちケーブル把持具がテンションメンバを止着した位置に保持されるし、ケーブル把持具の抜けも防止され、このため、テンションメンバやケーブルの止着が外れることが確実に防止できる。
また、固定ケース内部にＳＣコネクタやメカニカルスプライスなどがない場合には、心線収納部を固定ケースから外してエアブロンパイプを用いて固定ケース内に弯曲或いは巻き回して収納し、エアブロンパイプに設けたストッパを配索孔に当接定着し、蓋ケースを組み付けエアブロンケーブルが外れることなく確実に収納することもできる。
【０００６】
【実施例】
以下、この発明の実施例を図１乃至図７を参照して説明すると、幹線光ケーブルに設けられた架空クロージャから分岐した分岐光ケーブルが光ケーブル接続用収納ケースＡに導入され、この光ケーブル接続用収納ケースＡから建物内に向けて引込光ケーブルが分岐配索されて用いられるものである。
【０００７】
光ケーブル接続用収納ケースＡ（以下、単に収納ケースと称する）は、建物の外壁面に取り付けられる固定ケース１０と、この固定ケース１０を被蓋する蓋ケース２０とからなり、これらが組み付けられて、例えば蓋ケース２０を固定ケース１０にスライド式に組み付け嵌合してケース本体を構成する。固定ケース１０は、樹脂の射出成形等により成形され、ケーブル導入用の配索孔１１が形成され、該ケーブル配索孔１１から光ファイバ心線ＣとテンションメンバＣ１  を有する複数の光ケーブルＢを導入し、該光ケーブルＢのテンションメンバＣ１  を止着するケーブル把持具１を固定ケース１０に定着できるようにしてある。
この光ケーブルＢをテンションメンバＣ１  ごと止着するケーブル把持具１としては、内周にケーブル当接凸部２を形成したケーブル挿入凹部３と、外周にガイド凸部５とを有するケーブル把持本体１１  と、該ケーブル把持本体１１  のケーブル挿入凹部３に嵌装されて光ケーブルＢを挾み込むケーブル当接凸部４のある挾持片１２  とから構成され、このケーブル把持本体１１のガイド凸部５を前記固定ケース１０の配索溝１２に連なる前記ケーブル配索孔１１に形成したガイド溝１３に挿脱して、該ケーブル把持具１をケーブル配索孔１１に着脱自在に圧入嵌着し光ケーブルＢを止着するようにしてある。
【０００８】
この場合、前記ケーブル把持具１は、ポリプロピレン樹脂などの合成樹脂からなる断面Ｕ字形状部材のケーブル把持本体１１  と挾持片１２  とを連結帯６で一体に接続成形され、該ケーブル把持本体１１と挾持片１２とを対向嵌合して略筒状体に構成し、該筒状体を固定ケース１０の前記配索孔１１に嵌入されるものであって、ケーブル把持本体１１  と挾持片１２  との取扱い操作をしやすくしてある。前記ケーブル把持具１のケーブル当接凸部２，４はケーブル把持本体１１  と挾持片１２  とを対向嵌合すれば、ケーブル挿入凹部３でケーブル軸方向に所定間隔ずらせて光ケーブルＢを挾み込み、光ケーブルＢに喰い込み傾向で止着保持を強固なものとすることが配慮されていて、固定ケース１０に工具なしでワンタッチでケーブル止着できるようにしてあり、蓋ケース２０を組込んだ際に該蓋ケース２０に設けた当部材或いは内壁が接触して脱抜防止機構となるように配慮されている。
【０００９】
また、前記固定ケース１０には、ケーブルを巻き付ける心線巻回部３１と心線Ｃの接続用コネクタ収納部３２が区画された心線収納部３０が着脱自在に嵌装されるが、前記心線巻回部３１はケーブルを巻き取る環状壁及び押え片３３とからなり心線接続用のコネクタを収納するＳＣコネクタ収納部３２を両サイドに備え、さらに仕切壁４０で区画した単心ＭＴコネクタ収納部３６を設けた心線収納部３０としてあって、固定ケース１０の側壁と心線収納部壁に対応形成した嵌合係止部３４で着脱自在に嵌着できるようにしてあり、壁面定着用の取付孔３７が固定ケース１０に備えられている。
この場合、前記心線収納部３０は周囲及び中央に環状壁を底面板に立設したトレイとしてあって、ＳＣコネクタ、単心ＭＴコネクタ或いはメカニカルスプライスの単独または組合せを収容できるコネクタ収納部３２を形成したものを選んで用いられる。例えば、この実施例では、ＳＣコネクタ２個と、単心ＭＴコネクタ４個を収納（単心ＭＴコネクタは各２個を左右に分け、かつ２段に積み重ねて収納）するタイプとしてあるが、ＳＣコネクタ２個または単心ＭＴコネクタ２個若しくはメカニカルスプライス２個）を各々単独で収納できるコネクタ保持部のものを用いることもできる。
【００１０】
なお、ＳＣコネクタ収納部３２は両側に設けられ、仕切壁４０を介して、単心ＭＴコネクタ収納部３６を隣設し、さらに内側に心線巻回部３１が形成されるようになっていて、底面板にはコネクタ突出用孔４１をそれぞれ設けて突き棒などを挿入してコネクタを取り出しやすいようにしてある。
【００１１】
図３（ｂ）に詳示するように、前記ケーブル把持具１が挿入されるケーブルの軸方向或いは垂直方向にガイド凸部１３または凹部を備え、これに対応する凹部または凸部１４を設けた固定ケース１０の配索孔１１に嵌入止着される形態とすることもできるし、図５の如く取付孔３７を蓋ケース２０により覆う内タイプとするか或いは外タイプ（図１）とするかは取付壁面の体裁によって任意に選んで用いられる。
【００１２】
図６及び図７のケーブル把持具の例では、前記ケーブル把持本体１１  と挾持片１２  の外周側に嵌合用凹凸部１５，１６を備えて前記配索孔１１に止着ロックしやすいようにしたもので、他は図４の例と同様の構成を採用してある。
【００１３】
なお、前記配索溝１２は、表面側が開口する所定深さの溝であって、ケーブル導入用の配索孔１１に連通して上下に縦断する。この配索溝１２には光ケーブルがテンションメンバと共に配索され、光ケーブルは光ファイバ心線が配索溝１２を経て心線収納部３０の切欠３５から心線巻回部３１及びコネクタ収納部３２に導かれ、また、テンションメンバとともにケーブル把持具１によって止着される。また、インドアケーブルＤの場合は、配索溝１２から挿入してインドアケーブル把持具で押しつけ挾持すればよい。
【００１４】
また、前記固定ケース１０には、蓋ケース２０が取り付けられる嵌合係止部が突設され、これに嵌合する嵌合孔の係止部が蓋ケース２０側に備えられると共に、前記ケーブル把持具１に当接する当部または引掛部を蓋ケース２０に設けてロック機能をはたすようにするのがよい。
【００１５】
なお、前記心線収納部３０は、ケーブル心線を巻き取る心線巻回部３１を中央部分に区画し、左右両側にそれぞれコネクタ収容部３２を区画する複数の突起が突設される。該心線巻回部３１にはそれぞれ先端部にケーブル導入部に向かって放射状に延出するケーブル押え片３３が一体形成される。これらケーブル押え片３３は心線巻回部３１の廻りに巻回された光ケーブルを抑えて保持する。コネクタ収容部３２にはＳＣコネクタが収容され、このＳＣコネクタにより光ファイバ心線が接続される。
なお、固定ケース１０に形成された取付孔３７は締付孔或いは取付孔３７を貫通するねじやビスにより建物の壁に固定される。
【００１６】
この実施の形態にかかる光ケーブル接続用収納ケースＡにあっては、分岐光ケーブルと引込光ケーブルの接続に際しては、先ず、固定ケース１０を建物の外壁面にビス等を用いて固定し、分岐光ケーブルと引込光ケーブルをそれぞれ配索溝に、例えば、分岐光ケーブルを一方の配索孔１１に引込光ケーブルを他方の配索孔１１に通す。そして、各光ケーブルＢの光ファイバ心線Ｃは心線巻回・接続部に導いてコネクタにより接続し、その余長部分を心線収納部３０に巻き取って保持する。
【００１７】
また、各光ケーブルＢのテンションメンバＣ１  はケーブル把持具１を経て配索溝１２に止着する。すなわち、先ず、テンションメンバＣ１  の端部をカットしたままの状態でケーブル把持具１に挿通嵌着し配索孔１１に挟着保持する。また、インドアケーブルＤは配索孔１１から挿入して配索溝１２にケーブル把持具１を嵌め込んで押圧して挾持する。
【００１８】
この後、固定ケース１０の心線収納部３０を蓋ケース２０により被蓋して蓋ケース２０を固定ケース１０に取り付ける。ここで、蓋ケース２０は内面の保持突起などの当片が、固定ケース１０のケーブル把持具１に当接してロックされ移動を禁止する。したがって、ケーブル把持具１により止着されたテンションメンバまたはケーブルは緩みを生じることを防止でき、ドライバ等の工具を用いることなくケーブル把持具の手動操作で行えるため、ケーブル接続作業が容易である。
また、上述した各実施の形態では、蓋ケース２０を固定ケース１０に取り付けることでケーブル把持具１の廻り止めと押さえ（浮き上がりの防止）を行うが、蓋ケース２０によって浮き上がりの防止のみを行わせることも可能である。
【００１９】
図８及び図９の具体例では、蓋ケース２０をヒンジ部２１を介して備えたケース本体２２に光ケーブル接続用のプラグ２４および／またはコネクタを有する成端モジュール４１および接続モジュール４２と、各モジュール４１，４２に接続する心線余長収納部４３とを内装した光ケーブル接続ボックスとしてあって、前記成端モジュール４１と接続モジュール４２とにそれぞれ単心分離部、心線接続部、心線余長の収容部及び心線保持部を有し、取付部材４４，４５を介してケース本体２２に配備して光ケーブル接続用収納ケースとしてある。
【００２０】
この場合、前記ケース本体２２には前記成端モジュール４１と接続モジュール４２との間に心線を案内するガイド４６を設けると共に、ケーブル把持具１が複数段重積配備できるケーブル配索孔１１が形成されていて多心対応構造としてある。また、必要に応じモジュール型のＵリンク収納具５０を用いる。このＵリンク収納具５０は偏平ケースで、例えば図１３に示すようにコネクタ収納部５１と心線固定部５２及び心線巻回ガイドリブ５３と心線押え片５４を備え、取っ手５５と取付ヒンジ５６及び固定部５７とでケース本体２２に脱着しやすくしてある。
【００２１】
なお、このケーブル把持具１はガイド凸部５をケーブル配索孔１１に設けたガイド溝１３に嵌め込み式に止着するのがよい。
また、前記成端モジュール４１としては、一端にＭＴフエルールを設けたテープを単心分離部で多数に分岐し、各単心線の他端にＳＣ簡易プラグ或いはＭＰＯ簡易プラグを備えた成端モジュール内配線材料を収納保持するようにしてあるが、ＭＴコネクタを含む変換心線モジュールを用いてもよく、心線巻回部とコネクタなどの心線接続部の収容部とを有する画室と、ＳＣまたはＭＰＯ簡易プラグと心線巻回部とを有する画室とに仕切壁で区画し、プレハブ化されたケースを用いるのが、心線余長が絡み合わずに捻れ防止で用いられ、工場生産部材でいじられたくない部材を一方の区室に選んでまとめて収容し心線の見分けや確認を容易に行えるようにするのがよい。
【００２２】
図１０及び図１１の実施例では、ケーブル把持具１を止着できる配索孔１１のあるケース本体２２の内部に配備される成端モジュール４１に変換心線モジュールを用いた例で２ＭＰＯアダプタ或いはＳＣアダプタなどのプラグ２４を有し、接続モジュール４２は図１１に示すように接続モジュール内配線材料を収納保持するもので、フロア単位心線余長巻取部分として用い、ガイドのあるケーブルの導出入部２９を備え、心線保持部２５のある区画壁で心線巻回部２６とメカニカルスプライス乃至コネクタなどの接続部の収容部２７とを有するトレイ２８，２８の一対をヒンジ部２８１  で開閉自在に連結し、開閉端縁に係止凹凸部２８２  を設けたコンパクトな構造のものを用いる。
【００２３】
なお、前記成端モジュール４１及び接続モジュール４２は、いずれも心線余長巻取を兼ね二つに割れ或いは展開でき内部が露呈できる組合せ構造のものを用いるのがよく蓋ケースを兼ねたタイプのものを採用するのもよい。
また、成端モジュール内配線材料は、一端にフエルールを設けたテープを単心分離部で多数に分岐し、各単心線の他端にＳＣ簡易プラグまたはＭＰＯ簡易プラグを備えた既製の変換心線を用いるのが便利であり、接続モジュール内配線材料も一端にＳＣコネクタまたはＭＰＯコネクタを設けた既製の心線を用いるのもよい。このコネクタ収納部はトレイ２８の上方側に片寄せて設け、下方側は余長収納部を形成した２階式のトレイとして心線余長収納しやすいスタイルとすることもでき、さらに各モジュール４１，４２は取付部材でブラケットに対して個々に脱着できたりスライドさせて配線点検処理作業をしやすくすると共に、定着した際にも支持されて任意の心線をハンドリングしやすくすることも配慮してあり、必要に応じ外して取り出しもでき一目でわかりやすく識別性を良好にし、そして、各光ケーブルの光ファイバ心線はケーブル巻回・接続部に導いて、その余長部分を心線収納部に巻き取って保持するので、配線処理作業が容易にでき、またこのモジュールを差込むだけの簡単な操作で切替交換並びに増設ができるようにすることもできる。
【００２４】
図１２の具体例では、架空配線に付設される接続用クロージャからドロップアウトした分岐線を接続するために電柱設置型とした架空配線分配用の光ケーブル接続用収納ケースとしたもので、ケース本体２２に電柱取付用スチールベルトを挿通しうるブラケット４７を備えたケース本体２２と蓋ケース２０とから収納ケースＡを構成しケーブル押えとしての前記ケーブル把持具１を止着する配索孔１１をケース本体２２に有し、テンションメンバ把持プレート４８とケーブル収納用品４９とを内装してある。
【００２５】
【発明の効果】
本発明は光ケーブルの光ファイバ心線を巻き付ける心線巻回部と、心線接続用のコネクタ保持部とを備えた心線収納部を有する固定ケースに蓋ケースを着脱自在に組み付けてケース本体を構成し、該ケース本体に形成したケーブル配索孔から光ファイバ心線とテンションメンバを有する光ケーブルをケーブル把持具を介して導入し、該光ケーブルのテンションメンバをケース本体に止着して光ファイバ心線を互いに接続する光ケーブル接続用収納ケースにおいて、前記光ケーブルをテンションメンバごと止着するケーブル把持具が、ケーブル当接凸部を形成したケーブル挿入凹部と、外周にガイド凸部とを有するケーブル把持本体と、該ケーブル把持本体のケーブル挿入凹部に嵌装されて光ケーブルを挾み込むケーブル当接凸部のある挾持片とを連結帯で一体に接続構成され、このケーブル把持本体のガイド凸部を前記固定ケースの配索溝に連なる前記ケーブル配索孔に形成したガイド溝に挿脱して、該ケーブル把持具をケーブル配索孔に着脱自在に圧入嵌着したことにより、各種のケーブルをテンションメンバとともに止着状態に兼用保持でき、その止着作業も工具レスの容易な作業で確実に止着できるし、ケーブル把持具の取扱い操作も簡便でケーブルも容易なワンタッチで作業でき、しかも工具なしで作業性を大巾に向上でき、心線接続後の接続部材の固定も一元的収納部に集約して収納も簡単で安全確実なケーブル把持が可能で構成も簡単で安価な形態であり、かつテンションメンバを確実に止着でき、経時的な緩みも有効に防止できる、止着作業も容易に行うことができ各ケーブルの併用で取扱い容易な光ケーブル接続用収納ケースとすることができる。
【図面の簡単な説明】
【図１】  本発明の一の実施例を示す一部切断正面図である。
【図２】  図１の例の光ケーブル接続用収納ケースを示し、（ａ）はその側面図、（ｂ）は縦断面図、（ｃ）は底面図である。
【図３】  （ａ）は図１の例の使用状態の一部の斜視図で、（ｂ）は他の使用状態の一部の斜視図である。
【図４】  図１の例を用いたケーブル把持具の拡大図で、（ａ）は展開状態の側面図及び正面図、（ｂ）は底面図、（ｃ）は縦断面図、（ｄ）は組込状態の縦断面図である。
【図５】  本発明の他の実施例の蓋ケースを外したもので、（ａ）は正面図、（ｂ）は側面図、（ｃ）は底面図である。
【図６】  本発明で用いられるケーブル把持具の他例で、（ａ）は分離状態の正面図、（ｂ）は側面図、（ｃ）は平面図、（ｄ）は底面図である。
【図７】  図６の例の一部の分離状態を示し、（ａ）はその背面図、（ｂ）は縦断面図である。
【図８】  本発明の他例を示し、（ａ）はその内部を示す正面図、（ｂ）は底面図、（ｃ）は側面図である。
【図９】  図８の例で用いられるケーブル把持具を示し、（ａ）はその分離状態の斜視図、（ｂ）は組立状態の平面図である。
【図１０】  本発明のさらに他の例を示し、（ａ）はその内部を示す正面図、（ｂ）はその底面図、（ｃ）は側面図である。
【図１１】  図１０の例の心線ケースを示し、（ａ）はその正面図、（ｂ）はＡ−Ａ線における切断側面図である。
【図１２】  本発明を架空配線分配用ケースに用いた例で、（ａ）はその平面図、（ｂ）は正面図、（ｃ）は側面図、（ｄ）は底面図である。
【図１３】  本発明のケースで用いられるＵリンク収納部で、（ａ）は平面図、（ｂ）は側面図である。
【符号の説明】
Ａ          光ケーブル接続用収納ケース
Ｂ          光ケーブル
１          ケーブル把持具
１１          ケーブル把持本体
１２          挾持片
２，４      ケーブル当接凸部
３          ケーブル挿入凹部
５          ガイド凸部
１０        固定ケース
１１        配索孔
１２        配索溝
１３        ガイド溝
１４        凸部
１５，１６  嵌合用凹凸部
２０        蓋ケース
３０        心線収納部
３１        心線巻回部
３２        コネクタ収納部
３４        嵌合係止部
３６        コネクタ収納部
４０        仕切壁
４１        成端モジュール
４２        接続モジュール
４３        心線余長収納部
４４，４５  取付部材
４８        テンションメンバ把持プレート
４９        ケーブル収納用品
５０        Ｕリンク収納具
【図１】
0003768307.tif 000002
【図２】
0003768307.tif 000003
【図３】
0003768307.tif 000004
【図４】
0003768307.tif 000005
【図５】
0003768307.tif 000006
【図６】
0003768307.tif 000007
【図７】
0003768307.tif 000008
【図８】
0003768307.tif 000009
【図９】
0003768307.tif 000010
【図１０】
0003768307.tif 000011
【図１１】
0003768307.tif 000012
【図１２】
0003768307.tif 000013
【図１３】
0003768307.tif 000014